(57)【要約】【課題】操作部材を配設するにあたって大きな配設スペースを不要とし、小型化を図る上で有利なＩＣレコーダを提供すること。【解決手段】ＩＣレコーダ１２のケース１４にベースプレート２４が取着されている。このベースプレート２４にスライドプレート２２が往復移動可能に結合されている。このスライドプレート２２に操作部材２０が取着されている。スライドプレート２２に第１アーム３０が一体に設けられている。第１アーム３０は、弾性変形可能なアーム部３００２と、アーム部３００２の先端に突出形成された凸部３００４とを有している。ベースプレート２４には、凸部３００４が係合する、録音用係合孔３６Ａ、停止用係合孔３６Ｂ、再生用係合孔３６Ｃがスライドプレート２２の移動方向に間隔をおいて形成されている。【選択図】        図８
2005026133.tif 000002
【特許請求の範囲】
【請求項１】
ケースに往復移動可能に操作部材が配設され、前記ケースに前記操作部材の移動方向に沿って録音位置、停止位置、再生位置が設けられ、前記操作部材がこれらの位置に移動されると、これらの位置に留まるように保持されると共に、これらの位置に対応した動作がなされるＩＣレコーダであって、
前記ケースに往復移動可能にスライドプレートが結合され、
前記操作部材は前記スライドプレートに取着され、
前記スライドプレートは金属製で該スライドプレートに第１アームが一体に設けられており、
前記第１アームは、弾性変形可能なアーム部と、アーム部の先端に設けられた凸部とを有し、
前記ケースには、前記凸部が係合する係合孔が前記スライドプレートの移動方向に間隔をおいて複数形成され、
前記操作部材が前記再生位置、停止位置、録音位置の各位置に位置すると、前記凸部が前記係合孔に係合してユーザーにクリック感が与えられ、かつ、前記操作部材が各位置に留まるように保持される、
ことを特徴とするＩＣレコーダ。
【請求項２】
前記アーム部は、前記スライドプレートの移動方向に延在し、前記凸部は前記アーム部の延在方向の端部に設けられていることを特徴とする請求項１記載のＩＣレコーダ。
【請求項３】
前記アーム部は、前記スライドプレートと同じ厚さを有して該スライドプレートとほぼ同一面上を前記スライドプレートの移動方向に延在し、前記凸部は前記アーム部の延在方向の端部に該アーム部の厚さ方向に突出するように形成されていることを特徴とする請求項１記載のＩＣレコーダ。
【請求項４】
前記ケースに金属製のベースプレートが取着され、前記スライドプレートは前記ベースプレートに重ね合わされて該ベースプレートに往復移動可能に結合され、前記係合孔は前記ベースプレートに設けられていることを特徴とする請求項１記載のＩＣレコーダ。
【請求項５】
前記係合孔は、再生用係合孔、停止用係合孔、録音用係合孔であり、前記再生用係合孔と停止用係合孔とはこれらの孔の直径よりも小さい寸法の幅を有する溝により接続され、前記録音用係合孔と前記停止用係合孔とは別々に設けられていることを特徴とする請求項１記載のＩＣレコーダ。
【請求項６】
前記再生位置の前記停止位置とは反対側の箇所にレビュー位置が設けられ、前記スライドプレートに第２アームが一体に設けられ、前記第２アームは、弾性変形可能で前記スライドプレートの移動方向に対して交差する方向に延在し、前記ケースに前記第２アームに当接可能な当接部が設けられ、前記操作部材が前記停止位置から再生位置に至ると前記第２アームが前記当接部に当接し、前記操作部材が前記再生位置から前記レビュー位置方向に移動されると、前記当接部により前記第２アームが弾性変形され前記操作部材を前記再生位置に戻る方向に付勢することを特徴とする請求項１記載のＩＣレコーダ。
【発明の詳細な説明】
【０００１】
【発明の属する技術分野】
本発明はＩＣレコーダに関する。
【０００２】
【従来の技術】
ＩＣレコーダでは、ケースに設けられた操作部材を操作することで、再生や録音などの各種の動作がなされるように構成されている。
この種のＩＣレコーダでは、多くの場合、操作部材が往復移動可能にケースに配設され、ケースには、操作部材の移動方向に沿って再生位置や録音位置が設けられている。
そして、操作部材がこれらの位置に移動すると、ユーザーにクリック感が与えられこれらの位置で留まる共に、留まった位置に対応した再生動作や録音動作がなされるように構成されている。
しかしながら、従来の操作部材の配設構造では、再生位置や録音位置でクリック感が得られるように、コイルスプリング（あるいは板ばね）や剛球（あるいはローラ）などが用いられている（例えば、特許文献１）。
【０００３】
【特許文献１】
特開平１−１４２８１６号公報
【０００４】
【発明が解決しようとする課題】
そのため、操作部材を配設するにあたり大きな配設スペースを要し、操作部材の配設構造、ひいてはＩＣレコーダを小型化する上で不利があった。
本発明は前記事情に鑑み案出されたものであって、本発明の目的は、操作部材を配設するにあたって大きな配設スペースを不要とし、小型化を図る上で有利なＩＣレコーダを提供することにある。
【０００５】
【課題を解決するための手段】
前記目的を達成するため本発明は、ケースに往復移動可能に操作部材が配設され、前記ケースに前記操作部材の移動方向に沿って録音位置、停止位置、再生位置が設けられ、前記操作部材がこれらの位置に移動されると、これらの位置に留まるように保持されると共に、これらの位置に対応した動作がなされるＩＣレコーダであって、前記ケースに往復移動可能にスライドプレートが結合され、前記操作部材は前記スライドプレートに取着され、前記スライドプレートは金属製で該スライドプレートに第１アームが一体に設けられており、前記第１アームは、弾性変形可能なアーム部と、アーム部の先端に設けられた凸部とを有し、前記ケースには、前記凸部が係合する係合孔が前記スライドプレートの移動方向に間隔をおいて複数形成され、前記操作部材が前記再生位置、停止位置、録音位置の各位置に位置すると、前記凸部が前記係合孔に係合してユーザーにクリック感が与えられ、かつ、前記操作部材が各位置に留まるように保持されることを特徴とする。
本発明によれば、操作部材に付設されるクリック機構が、アーム部および凸部からなる第１アームで構成され、第１アームはスライドプレートに一体に設けられているので、従来のようにコイルスプリングや剛球を配設するスペースを確保することなく操作部材を配設でき、ＩＣレコーダをコンパクト化できる。
【０００６】
【発明の実施の形態】
以下、本発明の実施の形態を図面を参照して説明する。
図１はＩＣレコーダのブロック図を示す。
ＩＣレコーダ１２は、マイク１０２、入力アンプ１０４、Ａ／Ｄコンバータ１０６、信号処理部１０８、記憶部１１０、Ｄ／Ａコンバータ１１２、出力アンプ１１４、スピーカ１１６、モニタ１１８、操作スイッチ１２０、制御部１２２、第１スイッチＳＷ１、第２スイッチＳＷ２を備えている。
音声の録音動作は、音声がマイク１０２によって音声信号として検出され、入力アンプ１０４で増幅された後、Ａ／Ｄコンバータ１０６でデジタル信号に変換され、該デジタル信号が信号処理部１０８によってデータ圧縮され記憶部１１０に音声データとして書き込まれることでなされる。
音声の再生動作は、記憶部１１０に記憶されている音声データが信号処理部１０８によって読み出されデータ伸長され、Ｄ／Ａコンバータ１１２によってアナログ信号に変換され出力アンプ１１４によって増幅され、スピーカ１１６に音声信号として供給され、これによりスピーカ１１６から音声が再生されることによってなされる。
上述した録音動作および再生動作にあたり、制御部１２２は、入力アンプ１０４や出力アンプ１１４の増幅率の制御、モニタ１１８に表示されるＩＣレコーダ１２の動作状態の表示制御、信号処理部１０８の制御を行なっている。
また、制御部１２２は、第１スイッチＳＷ１、第２スイッチＳＷ２から入力されるオン・オフ信号（オン・オフ状態）に対応して信号処理部１０８を制御することにより、録音動作、再生動作、録音および再生の停止動作、レビュー動作（音を出しながら巻き戻す動作）の切替を行なう。また、制御部１２２は、操作スイッチ１２０から入力される操作信号に基づいて録音動作、再生動作、停止動作、レビュー動作以外の他の動作、例えば、音声データの選択や消去などに関わる制御を行なう。
【０００７】
図２はＩＣレコーダの斜視図、図３は操作部材部分の分解図、図４は録音位置、停止位置、再生位置、レビュー位置の説明図を示す。
ＩＣレコーダ１２は、矩形板状のケース１４を備え、ケース１４の角部に飾り帯１６が取着され、この飾り帯１６の表面に往復移動可能に操作部材２０が配設されている。
そして、操作部材２０が配設される飾り帯１６箇所の裏面に、スライドプレート２２、ベースプレート２４、基板２６が設けられている。
飾り帯１６には、操作部材２０の移動方向に沿って録音位置、停止位置、再生位置、レビュー位置がこれらの順に設けられ、操作部材２０が録音位置、停止位置、再生位置に位置するとユーザーにクリック感を与えてこれらの位置に留まると共に、留まった位置に対応した録音動作や、録音および再生の停止動作、再生動作がなされ、また、再生位置から停止位置とは反対の方向に操作部材２０を移動させると、レビュー位置となり、レビュー動作がなされるように構成されている。
【０００８】
図５、図６に示すように、スライドプレート２２はばね鋼板などからなる金属製であり、操作部材２０の移動方向に延在する長さと、この長さと直交する方向の幅を有し、長さは幅よりも十分に大きく、したがって細長形状に形成されている。
スライドプレート２２には、長さ方向に延在する案内溝２２０２が２つ設けられ、また、長さ方向の中間部で幅方向の側部には、第１作動片２２０４と第２作動片２２０６とがスライドプレート２２の厚さ方向に屈曲形成されている。
【０００９】
また、スライドプレート２２の長さ方向の中間部で幅方向の側部に第１アーム３０が設けられ、また、第１アーム３０から離れた箇所でスライドプレート２２の一方の端部寄り箇所に第２アーム３２が設けられている。
第１アーム３０は、スライドプレート２２とほぼ同じ厚さを有してスライドプレート２２とほぼ同一面上を延在する弾性変形可能なアーム部３００２と、アーム部３００２の先端にアーム部３００２の厚さ方向に半球状に突出形成された凸部３００４とを有している。
第２アーム３２は、スライドプレート２２の幅方向の一側からスライドプレート２２を斜めに横切るように延在し、弾性変形可能に形成されている。
スライドプレート２２の幅方向の他側には、第２アーム３２の先端に臨むように係止壁３４が設けられ、図６に示すように、第２アーム３２の非使用状態で、第２アーム３２の先端は係止壁３４の一端に臨み第２アーム３２に何も荷重が掛からない状態とされ、また、第２アーム３２の使用状態では、図５に示すように、第２アーム３２の先端が係止壁３４の他端に係止され、常に係止壁３４に当接した状態に付勢されて用いられる。
【００１０】
図７に示すように、ベースプレート２４の表面には２つの筒状のボス部２４０２が形成されており、スライドプレート２２がベースプレート２４に重ね合わされた際に、図８乃至図１１に示すように、このボス部２４０２はスライドプレート２２の案内溝２２０２に挿入され、ボス部２４０２の先端がかしめられ半径方向外方に広げられる。これにより、スライドプレート２２はベースプレート２４に直線往復移動可能に結合される。
そして、図３に示すように、互いに結合されたスライドプレート２２およびベースプレート２４は、ねじＮ１を介して飾り帯１６の裏面に取着され、さらに、飾り帯１６に配設された操作部材２０は、ベースプレート２４の窓２４０４内においてねじＮ２を介してスライドプレート２２に結合され、操作部材２０の操作によりスライドプレート２２が移動するように組み付けられる。
【００１１】
ベースプレート２４には、凸部３００４が係合する係合孔３６がスライドプレート２２の移動方向に間隔をおいて３つ形成され、第１アーム３０のアーム部３００２および凸部３００４と、ベースプレート２４の係合孔３６によりクリック機構が構成され、凸部３００４が各係合孔３６に係合する毎にユーザーにクリック感が与えられ、操作部材２０は録音位置、停止位置、再生位置となり、これらの位置に留まるように構成されている。
また、ベースプレート２４の端部には、第２アーム３２の先端に当接可能な当接部４０が屈曲形成されている。
係合孔３６は、録音用係合孔３６Ａ、停止用係合孔３６Ｂ、再生用係合孔３６Ｃであり、停止用係合孔３６Ｂと再生用係合孔３６Ｃとはこれらの係合孔の直径よりも小さい寸法の幅を有する溝３８により接続され、録音用係合孔３６Ａと停止用係合孔３６Ｂとは別々に設けられている。
したがって、停止用係合孔３６Ｂと再生用係合孔３６Ｃとの間では、凸部３００４は比較的小さい力で移動でき、これにより操作部材２０を再生位置と停止位置との間では比較的簡単に移動でき、停止位置と録音位置との間では、操作部材２０を再生位置と停止位置との間で移動させる場合よりも大きな力を要し、操作部材２０を録音位置にするには注意を要するように図られている。
【００１２】
そして、図８に示すように、凸部３００４が録音用係合孔３６Ａに係合した操作部材２０の録音位置で、第２作動片２２０６が第１スイッチＳＷ１をオンとし、これにより制御部１２２を介して録音動作がなされるように構成されている。
また、図９に示すように、凸部３００４が停止用係合孔３６Ｂに係合した操作部材２０の停止位置で、双方のスイッチＳＷ１、ＳＷ２はオフとなり、制御部１２２を介して録音および再生の停止動作がなされるように構成されている。
また、図１０に示すように、凸部３００４が再生用係合孔３６Ｃに係合した操作部材２０の再生位置で、第２作動片２２０６が第２スイッチＳＷ２をオンとし、制御部１２２を介して再生動作がなされるように構成されている。
また、図１１に示すように、操作部材２０を、再生位置から停止位置とは反対の方向のレビュー位置に移動させると、第１、第２作動片２２０４，２２０６により双方のスイッチＳＷ１、ＳＷ２がオンとされ、制御部１２２を介してレビュー動作がなされるように構成されている。
なお、操作部材２０を、停止位置から再生位置に移動させると、図１０に示すように、第２アーム３２の先端が当接部４０に当接した状態となり、再生位置から停止位置とは反対の方向のレビュー位置に移動させると、図１１に示すように、第２アーム３２は当接部４０により弾性変形され、操作部材２０は常に再生位置に復帰するように付勢された状態となる。したがって、レビュー位置に位置させた操作部材２０から指を離すと、操作部材２０は再生位置に復帰する。
【００１３】
本実施の形態によれば、操作部材２０に付設されるクリック機構を構成するばねおよび剛球を、アーム部３００２および凸部３００４からなる第１アーム３０としてスライドプレート２２に一体的に設けた構成としたので、従来のようにコイルスプリングや剛球を配設するスペースを確保することなく操作部材２０を配設できる。
したがって、操作部材２０の配設構造をコンパクト化でき、ＩＣレコーダ１２をコンパクト化する上で極めて有利となる。
また、アーム部３００２は、スライドプレート２２の移動方向に延在し、凸部３００４はこのアーム部３００２の延在方向の端部に設けられているので、操作部材２０の配設構造をよりコンパクト化する上で有利となる。
また、停止用係合孔３６Ｂと再生用係合孔３６Ｃとはこれらの係合孔の直径よりも小さい寸法の幅を有する溝３８により接続されているので、簡単な構成により、操作部材２０を再生位置と停止位置との間で比較的簡単に移動でき、一方、停止位置と録音位置との間では操作部材２０を再生位置と停止位置との間で移動させる場合よりも大きな力を要し、録音位置にするには注意を要するように図ることができる。
また、本実施の形態では、レビュー位置から再生位置に付勢するばねを、第２アーム３２としてスライドプレート２２に一体的に設けた構成としたので、従来のように、スライドプレートとは別にコイルスプリングを設ける場合に比べて操作部材２０の配設構造をコンパクト化でき、ＩＣレコーダをコンパクト化する上で極めて有利となる。
【００１４】
【発明の効果】
以上説明したように本発明によれば、操作部材を配設するにあたって大きな配設スペースを不要とし、小型化を図る上で有利なＩＣレコーダが得られる。
【図面の簡単な説明】
【図１】ＩＣレコーダのブロック図である。
【図２】ＩＣレコーダの斜視図である。
【図３】操作部材部分の分解図である。
【図４】録音位置、停止位置、再生位置、レビュー位置の説明図である。
【図５】スライドプレートの斜視図である。
【図６】スライドプレートの斜視図である。
【図７】ベースプレートの斜視図である。
【図８】操作部材が録音位置に位置した際のスライドプレートおよびベースプレートの説明図である。
【図９】操作部材が停止位置に位置した際のスライドプレートおよびベースプレートの説明図である。
【図１０】操作部材が再生位置に位置した際のスライドプレートおよびベースプレートの説明図である。
【図１１】操作部材がレビュー位置に位置した際のスライドプレートおよびベースプレートの説明図である。
【符号の説明】
１２……ＩＣレコーダ、２０……操作部材、２２……スライドプレート、２４……ベースプレート、３０……第１アーム、３２……第２アーム、３６Ａ……録音用係合孔、３６Ｂ……停止用係合孔、３６Ｃ……再生用係合孔、３８……溝。
【図１】
2005026133.tif 000003
【図２】
2005026133.tif 000004
【図３】
2005026133.tif 000005
【図４】
2005026133.tif 000006
【図５】
2005026133.tif 000007
【図６】
2005026133.tif 000008
【図７】
2005026133.tif 000009
【図８】
2005026133.tif 000010
【図９】
2005026133.tif 000011
【図１０】
2005026133.tif 000012
【図１１】
2005026133.tif 000013